(57)【特許請求の範囲】
【請求項１】
裏面側に染料内包マイクロカプセル剤層を設けた上位シートの下位に下位シートを重ね合わせてなり、この下位シートの表面側には、染料内包マイクロカプセル剤と顕色剤とからなる自己発色剤層を設けるとともに、この自己発色剤層の表面に、顕色剤、流動性油分、ワックスを主成分とする転移性顕色剤層を設けたことを特徴とする複写帳票。
【発明の詳細な説明】
【０００１】
【発明の属する技術分野】
本発明は、上位シートに記入することによって下位シートに複写記入する複写帳票に関し、特に、控えとなる上位シートの裏面にも複写記入されることによって記入事項の改ざんを防止し得る複写帳票に関する。
【０００２】
【従来の技術】
従来のこの種複写帳票は、上位シートの裏面側に染料内包マイクロカプセル剤を設ける一方、下位シートの表面側には、顕色剤層を設けるとともに、この顕色剤層の表面に転移性顕色剤層を設けている。
【０００３】
【発明が解決しようとする課題】
この従来例によると、下位シートの表面への複写は、その表面に設けた顕色剤層と、上位シートの裏面に設けた染料内包マイクロカプセル剤層との反応によってなされるが、顕色剤層の表面には転移性顕色剤層が存在するので、複写像が不鮮明であるという不都合がある。本発明は、この不都合を解消した複写帳票を提供することを目的とする。
【０００４】
【課題を解決するための手段】
この目的を達成するために本願の請求項１に記載した複写帳票は、裏面側に染料内包マイクロカプセル剤層を設けた上位シートの下位に下位シートを重ね合わせてなり、この下位シートの表面側には、染料内包マイクロカプセル剤と顕色剤とからなる自己発色剤層を設けるとともに、この自己発色剤層の表面に、顕色剤、流動性油分、ワックスを主成分とする転移性顕色剤層を設けたものである。
【０００５】
【発明の実施の形態】
以下、本発明を複写領収証に適用した場合の好適な実施形態を添付図面に基づいて詳細に説明する。ここにおいて、図１は平面図、図２は図１のＡ−Ａ線断面図である。
【０００６】
図１及び図２に示すように、複写領収証１は、一端側を接着力の弱い弱接着剤２で分離可能に綴じ合わせた控えとなる上位シート３と発行先に渡す下位シート４からなる。前記上位シート３の表面には、図１に示すように、「領収証」なる標題５の下に、領収年月日記入欄６、発行先記入欄７、領収金額記入欄８、領収内容記入欄９の各記入欄を設けるとともに、発行者表示１０をあらかじめ印刷している。
【０００７】
図２に示すように、上位シート３の裏面側には、領収年月日記入欄６、発行先記入欄７、領収金額記入欄８、領収内容記入欄９の各記入欄に対応する部分に、染料内包マイクロカプセル剤層１１を設けている。この染料内包マイクロカプセル剤層１１を構成するマイクロカプセルとしては、公知のものを使用することができるが、スポット的に塗布でき、加熱せずとも速やかに乾燥できる紫外線硬化型インキ化したものが好適である。
【０００８】
一方、下位シート４の表面側には、図示していないが、各記入欄６，７，８，９の下位に対応する位置に、それぞれ同一の記入欄を設け、また、図２に示すように、上位シート３の染料内包マイクロカプセル剤層１１に対向する部分に、公知の染料内包マイクロカプセル剤と顕色剤とからなる自己発色剤層１２を設けるとともに、この自己発色剤層１２の表面に転移性顕色剤層１３を設けている。
【０００９】
この転移性顕色剤層１３は、非水系の転移性顕色剤インキとして調製され、顕色剤、流動性油分、ワックスを主成分とするもので、その他必要に応じて、バインダー、紫外線吸収剤、光重合開始剤、増粘度剤、ゲル化剤等の公知の補助剤を添加して調製するものである。
【００１０】
顕色剤としては、例えば、粘度類、フェノール樹脂、芳香族カルボン酸の多価金属塩等やこれらの混合物を使用でき、特に、印字の良好な保存性から２，２−ビスフェノールスルホン化合物の亜鉛塩等が好適である。また、流動性油分としては、無色であって、発色剤と顕色剤との反応を阻害するような不飽和二重結合を有さないもので、かつ、粘度が低く、コーティング適正が良好なものがよく、例えば芳香族を含まない潤滑油や、ノルマルパラフィンが好適である。さらに、ワックスとしては、無色で、融点が５５〜８５℃、ワックスの針入度が５（２５℃）程度の比較的硬めのものをベースワックスとして用い、かつ、転写性と汚染性を制御する目的で、これに軟質ワックスを添加して硬度を低く調製して用いるもので、例えばカルナバワックス、木ロウ、パラフィンワックス、ココナッツワックス等がある。
【００１１】
なお、転移性顕色剤インキには、エチレン−酢酸ビニル共重合体を添加するのがよく、これは、この共重合体はワックスとの相溶性が高く、インキの粘度を上昇させる作用を有し、上位シート３の裏面側に塗布した染料内包マイクロカプセル剤層１１への接着特性を高める作用を奏するからである。
【００１２】
続いて、上述のように構成した複写領収証１の使用方法について説明する。上位シート３の各記入欄６，７，８，９にボールペン等の適宜な筆記用具で所定事項を記入すると、筆圧がかかることによって、上位シート３の裏面には、転移性顕色剤層１３の転移性顕色剤インキが転移し、染料内包マイクロカプセル剤層１１の染料と反応して発色し、同一内容が複写される。これと同時に、下位シート４の表面には、自己発色剤層１２の顕色剤が前記染料内包マイクロカプセル剤層１１の染料と反応して発色するとともに、前記自己発色剤層１２の顕色剤と染料とが反応して発色することにより、筆記事項と同一内容が鮮明に複写される。
【００１３】
ここで、上位シート３と下位シート４とを分離し、複写記入された下位シート４を発行先に手渡す一方、上位シート３を発行元の控えとして保管するものである。この際、複写領収証１の発行担当者や経理担当者が上位シート３の記載内容を改ざんしても、前記上位シート３の裏面には正規の記載内容が複写記入されているので、前記上位シート３の表裏面の記載内容を比較すれば、表面側の記載内容が正規のものであるか、改ざんされたものであるかを、一目で判別することができる。
【００１４】
なお、本発明は上述した実施形態に限定されるものではなく、例えば、上位シート３に設ける染料内包マイクロカプセル剤層１１と、下位シート４に設ける転移性顕色剤層１３及び自己発色剤層１２を、各記入欄６，７，８，９対応部分だけでなく、各シート３，４の全面に設けてもよい。また、本発明を複写領収証１以外の改ざん防止が必要な複写帳票にも適用可能なことはもちろんである。さらに、上位シート３と下位シート４とを接着力の強い強接着剤で線綴じし、線綴じ部分の内側に切り用ミシン目を設けてもよい。
【００１５】
【発明の効果】
以上説明したところで明らかなように、本発明の請求項１に記載した複写帳票によれば、下位シートへの複写記入を鮮明に行うことができるほか、上位シートの裏面には下位シートへの複写記入内容と同一の正規の記入内容が複写されるので、上位シートの表裏面の記載内容を比較することで、上位シート表面側の記載内容が正規のものか否かが一目で判別可能であり、改ざん防止に有効であるという効果を奏する。
【図面の簡単な説明】
【図１】  複写領収証の平面図。
【図２】  図１のＡ−Ａ線断面図。
【符号の説明】
１    複写領収証
３    上位シート
４    下位シート
６    領収年月日記入欄
７    発行先記入欄
８    領収金額記入欄
９    領収内容記入欄
１１    染料内包マイクロカプセル剤層
１２    自己発色剤層
１３    転移性顕色剤層
【図１】
0004046882.tif 000002
【図２】
0004046882.tif 000003